(57)【要約】【課題】錠剤ケースをそのまま利用することができ、常に携帯可能であり、簡単、容易な操作で錠剤の誤飲、飲み忘れの生じない錠剤飲用日時の管理を可能とする。【解決手段】台紙１と、裏面に接着材層を有し表面に錠剤の飲用日時を指示する情報を表示する錠剤の大きさ程度のラベル本体２とを有し、ラベル本体２は１日分が同日日付けを有する複数枚で構成された、１ヵ月分の枚数だけ台紙１上に剥離可能に配列されている錠剤飲用日時指示ラベルで、ラベル本体２が、日付けと、図形の上部、中間部、下部を画する領域により表示する食前、食間、食後の区別を表示するものと、用紙の色の差異により、朝，昼、　夕〜夜の区別とを表示するものの組み合わせ（図には日付け以外は省略されている）で、錠剤メーカーのパッケージに包蔵されている各錠剤部に貼付し錠剤飲用日時が指示可能になっている。【選択図】　　　　図１
0003098509.tif 000002
【実用新案登録請求の範囲】
【請求項１】
台紙と、裏面に接着材層を有し表面に錠剤の飲用時期を指示する情報を表示する錠剤の大きさ程度の大きさのラベル本体とを有し、該ラベル本体は１日分が同日日付けを有する複数枚で構成された、１ヵ月分の枚数だけ前記台紙上に剥離可能に配列されていることを特徴とする錠剤飲用日時指示ラベル。
【請求項２】
前記ラベル本体が、日付けと、図形の上部、中間部、下部を画する領域により表示する食前、食間、食後の区別を表示するものと、用紙の色の差異により、朝，昼、夕〜夜の区別を表示するものの少なくとも１種を有している請求項１の錠剤飲用日時指示ラベル。
【請求項３】
前記ラベル本体が、透明体よりなる請求項１又は２の錠剤飲用日時指示ラベル。
【請求項４】
前記ラベル本体が、円形である請求項１又は２又は３の錠剤飲用日時指示ラベル。
【請求項５】
台紙と、裏面に接着材層を有し表面に錠剤の飲用日時を指示する情報を表示するラベル本体とを有し、該ラベル本体は直径約７ｍｍのセロファン紙よりなり、日付けを表示する数字と、図形の上部、中間部、下部を画する領域により表示する食前、食間、食後の区別と、異なる用紙の色により表示する朝，昼、夕〜夜の区別とを有し、１日分が同日日付けを有する複数枚で構成された、１ヵ月分の枚数だけ前記台紙上に剥離可能に配列されている錠剤飲用日時指示ラベル。
【考案の詳細な説明】
【０００１】
【考案の属する技術分野】
本考案は、医療機関で支給される錠剤の適正な飲用を可能とする錠剤飲用日時指示ラベルに関するものである。
【０００２】
【従来の技術】
現在、医療機関（例えば、病院）で支給される錠剤は、殆ど錠剤メーカーの販売している錠剤パッケージの形で供給されるのが普通である。このような錠剤パッケージの形で支給される錠剤は、服用する日時、食事時間との関係において、朝、昼、夕〜夜、食前、食間、食後と服用する時刻は決まっている。そして、服用すべき錠剤は普通，複数種にわたる場合が多く、このため定められたように錠剤を服用するには煩瑣であるため，飲み忘れ、重複、等を生じやすかった。
すなはち、普通は錠剤メーカーの製造した錠剤パッケージの形で供給されており、このような錠剤メーカーの製造した錠剤パッケージは、支給されたままでは、患者自身が服用する錠数、日時を容易に把握出来なかった。そのため、服用する前にパッケージを個々に切り離しセットする手間が掛るし、携帯する間の管理に難点を生じる点で問題があった。
【０００３】
このような問題点に対処するため、表示欄の設けられた特別の構造の錠剤パッケージで、医院、薬局側でそれに服用する日時を印字、指示するような錠剤パッケージも提案されており（特許文献１参照）、又、患者が医療機関で支給された錠剤を特別に用意した錠剤収納用ボードよりなる分離用容器に分離して配分しておく方法が提案されている（特許文献２参照）。
【０００４】
【特許文献１】
実開平３−３５３４２号公報
【特許文献２】
実開平４−６７４５２号公報
【０００５】
【考案が解決しようとする課題】
以上の如く、医療機関で支給されるものは、一般的には、錠剤メーカーの製造した錠剤パッケージ（錠剤又はカプセルを収容したプッシュスルーパッケージ）をそのまま所定の数量だけ供給されるのが普通で、支給されたものの服用時期は患者自身で管理せざるを得ないのが普通であり、これらを分離配列するためには分離した錠剤を特別の媒体に仕分けしておく必要があり、そのような分類手段を用意する必要があり、この方法を用いる場合には携帯は不便で、特に出張仕事が多く仕事先で食事を採る場合にも、分類手段を持参しなければならなかった。
【０００６】
そのため、本考案は、特別面倒な準備を必要とせず、出張時においても、該当する日付けを含む錠剤パッケージをそのまま携帯すれば、飲用日時管理を容易に実施可能にする、即ち、服用する日時、食時時間との関係を示す、例えば、円形ラベルを錠剤パッケージに直接貼り付け、錠剤パッケージその物によって飲用日時に関する情報を提供することができ、患者が錠剤パッケージを手に採った時、即、飲用時期が判る様にすることができる錠剤飲用日時指示ラベルを提供可能とすることを目的とするものである。
【０００７】
【課題を解決するための手段】
以上の目的を達成するためになされた本考案の構成は、
（１）　台紙と、裏面に接着材層を有し表面に錠剤の飲用時期を指示する情報を表示する錠剤の大きさ程度の大きさのラベル本体とを有し、該ラベル本体は１日分が同日日付けを有する複数枚で構成された、１ヵ月分の枚数だけ前記台紙上に剥離可能に配列されていることを特徴とする。
（２）　（１）において、前記ラベル本体が、日付けと、図形の上部、中間部、下部を画する領域により表示する食前、食間、食後の区別を表示するものと、用紙の色の差異により、朝，昼、　夕〜夜の区別を表示するものの少なくとも１種を有していることを特徴とする。
（３）　（１）又は（２）において、前記ラベル本体が、透明体よりなることを特徴とする。
（４）　（１）又は（２）又は（３）において、前記ラベル本体が、円形であることを特徴とする。
（５）　台紙と、裏面に接着材層を有し表面に錠剤の飲用時期を指示する情報を表示するラベル本体とを有し、該ラベル本体は直径約７ｍｍのセロファン紙よりなり、日付けを表示する数字と、図形の上部、中間部、下部を画する領域により表示する食前、食間、食後の区別と、異なる用紙の色により表示する朝，昼、　夕〜夜の区別とを有し、１日分が同日日付けを有する複数枚で構成された、１ヵ月分の枚数だけ前記台紙上に剥離可能に配列されていることを特徴とする。
【０００８】
【考案の実施の形態】
錠剤メーカーの製造した錠剤パッケージその物に直接貼り付けることにより、飲用日時に関する情報を表示可能とする錠剤飲用日時指示ラベルを提供することができ、患者が錠剤メーカーの製造した錠剤パッケージを手にとった時、即、錠剤飲用日時が判る様にしたものである。
【０００９】
【実施例】
図１は本考案の錠剤飲用日時指示ラベル（パック）の一実施例の基本構造（日付のみ表示してある）の正面図、図２は同じく要部の断面図で、図３は同じく各種の錠剤飲用日時指示ラベルの説明図である。
図１において、１は表面滑面層１２を有する台紙本体１１よりなる台紙、２は台紙１上に配列する裏面に接着剤層２２を有するラベル本体２１よりなる飲用日時表示ラベル本体（単位ラベル）で、台紙１に剥離可能に保持されている。なお、図１の錠剤飲用日時指示ラベルの８Ｘ１２個の単位ラベルは同一日付の円形の単位ラベルを３枚づつ１日分として構成してり、これら、８Ｘ１２個の単位ラベルを１枚の台紙１上に配置してある。
単位ラベル２のラベル本体２１は、例えば、セロファン紙よりなり，後述の如く、飲用する日付、時刻等の区別を示す数字、記号等が印刷されている。
この実施例の錠剤飲用日時指示ラベルは、図１に示した基本構造に、図３に示した朝、昼　夕〜夜の区別を示す使用するセロファン紙の色、食前、食間、食後の区別を付加する印しによって区別できるようにした直径約７ｍｍの円形のものである。
【００１０】
図３の（ａ）、（ｂ）、（ｃ）は、それぞれ、食前、食間、食後を円形内に印された領域４１，４２，４３で区別するもので、（ｅ）、（ｆ）、（ｇ）は、それぞれ、朝食、昼食、夕〜夜食を示す用紙の色、例えば、ピンク、みどり、ブルーを、それぞれ、５１，５２、５３で区別するものであり、３は日付けを示している。
すなはち、この考案の錠剤飲用日時指示ラベルは、図３の単位構造を図１の如く配列した次の９種類のラベルから構成される。
１）　ピンク（朝食）　　上部（食前）
２）　ピンク（朝食）　　中間（食間）
３）　ピンク（朝食）　　下部（食後）　（図３（ｄ）参照）
４）　みどり（昼食）　　上部（食前）
５）　みどり（昼食）　　中間（食間）
６）　みどり（昼食）　　下部（食後）　（図３（ｅ）参照）
７）　ブルー（夕〜夜食）上部（食前）
８）　ブルー（夕〜夜食）中間（食間）
９）　ブルー（夕〜夜食）下部（食後）（図３（ｆ）参照）
【００１１】
以上の如く、食前、食間、食後を、円形のラベルに付された印しが円の上部、中間部、下部の何れに位置するかにより知ることが出来、またセロハン紙の色によって、ピンクの場合は朝、みどりの場合は昼、ブルーの場合は夕〜夜に飲むものであることを知ることができる。
すなわち、ラベルが１）から９）の何れの種類であるかによって何時その錠剤を飲むべきかが一目して分かることになる。
【００１２】
以下、図４〜６を用いて、本考案の錠剤飲用日時指示ラベルの一実施例の使用方法を、錠剤メーカーパッケージの裏側に施した場合について説明する。図４は平面図、図５は図４の要部の断面図、図６はその一過程を示す説明図である。これらの図で、図１〜３と同一部分には同一記号が付してあリ、６は錠剤メーカーパッケージ、６０は錠剤を示している。
【００１３】
錠剤メーカーパッケージ（錠剤パック）６は、所謂ＰＴＰ包装体（パックスルーパッケージ）に錠剤６０を封入したものであり、ＰＴＰ包装体は透明なプラスチックを成形した成形体からなる収納体６１（図５参照）と、この収納体６１の開口部を閉鎖する密封部材６２からなっており、この密封部材６２としては、ヒートシールラッカー等のシール剤を塗布した２０〜４０μｍの厚さのアルミニウム箔からなっているのが一般的である。
【００１４】
図４に示した実施例は５、６，７，８，９日に、１日２錠づつ朝食後に飲用すべきものであることをを示している（ピンク色セロファン紙使用）。図６は図１の台紙１から所望の飲用日時表示ラベル２を剥離する状態を示しており、これらの図において、６１は錠剤メーカーパッケージ６のプラステックケース、６２はアルミ箔よりなる密封部材を示している。
【００１５】
医療機関において錠剤が支給された段階で支給された各錠剤メーカーパッケージ６の各錠剤のすべての錠剤を飲む日に割り当てるために、錠剤錠剤メーカーパッケージ６のすべての錠剤に飲用すべき日に該当する日付の印刷されている錠剤ラベル２１を、図６に示す如く、台紙１１から剥がし、図４，５に示すように、錠剤の封入されているケースを覆うアルミニューム箔よりなる包装体の開口部６３の部分の上に飲むべき日時に該当するラベル１を貼り付ける。この操作により、支給された錠剤のすべてにラベルが貼られることになるので、錠剤メーカーパッケージ６を見れば、その錠剤は何時どのように飲むべきかが一目瞭然と知ることができる。
【００１６】
直径７ｍｍの円形で、数字、記号付きで、カラーの透明セロファンの糊付き製とし、パッケージの錠剤個々の裏側（開口部のある側）に貼ってもＰＶＣの破り箇所を塞がず、かつ、パッケージに示されているものも隠さず、医療機関側で予め定められた服用する錠剤箇所に貼り付けが出来、パッケージを纏めて任意の袋等で携帯しても錠剤パッケージそのもの（現物）を目にした時、即、飲用できる。医療機関で供給された錠剤のパッケージをそのまま利用しているので、家庭内においても、家庭外においても、容易に利用でき、出張時においても、携帯用のカバン内に収容可能であり、パッケージを見るだけで、飲み忘れはすぐわかり、二重飲みを防ぐことができる。錠剤飲用日時支持ラベルは透明に構成されているので、錠剤のパックの裏面に印刷されている文字が読めなくなることもない。
【００１７】
なお、この実施例は透明体を用いる例について説明したが、使用状態が異なる場合には不透明体を用いることもできる。又，錠剤の取り出しに便利なように開口部６３よりやや小さめの７ｍｍとしたが、必ずしこの値には限定されない。
又ラベル本体にセロファンを用いたが，プラスチクスの薄膜を用いてもよく、さらに、透明体に限らず不透明体で構成することもできる。
【００１８】
以上の実施例は９種類の錠剤飲用日時支持ラベルの中の一枚を選び張ればよいが，日付け，食事の前後，朝，昼，夕〜夜を表すものを透明で別体に形成して二重，三重に貼り付けることにより，ラベルの貼り付け作業が多少煩瑣になるが、少ない種類のラベルで同様の効果を得ることも可能である。
また、以上の実施例は錠剤メーカーパッケージ錠剤の取り出し用の開口部６３側に用いた例を示したが、反対側のプラスチック製の収納体６１部分に貼り付けるようにしても良い。また、円形のみならず、多角形、例えば、正方形としても同様の目的、効果を得ることができる。
【００１９】
以上の如く、医療機関で支給された錠剤を錠剤のパックから分離して再配置する必要はなく、本考案の錠剤飲用日時指示ラベルを添付しておけば、数字、記号により的確な服用が出来、他の服用説明（薬用袋等）を見なくて服用できる。そして、飲んだかどうかは錠剤のパックをみるだけでわかり、生活の忙しい時間帯にでも容易に服用できる。また、常に携帯出来る事により飲み忘れを防止できる。すなはち、錠剤飲用日時指示ラベルを貼付したものをバックに投入しておけば、出先においても何をいつ飲むべきかを容易に知ることができ、その結果飲み忘れ、誤飲を防ぐことができる。
【００２０】
【考案の効果】
以上の如く、本考案は特別面倒な準備を必要とせず、出張時においても、該当する日付けを含む錠剤パッケージをそのまま携帯すれば、飲用日時管理を容易に実施可能にする、即ち、服用する日時、食時時間との関係を示す、例えば、円形ラベルを錠剤パッケージに直接貼り付け、錠剤パッケージその物によって飲用日時に関する情報を提供することができ、患者が錠剤パッケージを手に採った時、即、飲用時期が判る様にすることができる錠剤飲用日時指示ラベルを提供可能とするもので、産業上の効果の大なるものである。
【図面の簡単な説明】
【図１】図１は本考案の錠剤飲用日時指示ラベルの一実施例の基本構造の正面図である。
【図２】同じく要部の断面図である。
【図３】同じくそれぞれ異なる要部の説明図である。
【図４】本考案の錠剤飲用日時指示ラベルの一実施例の使用状態の説明図である。
【図５】図４の要部の断面図である。
【図６】同じく一実施例の使用状態の一過程を示す説明図である。
【符号の説明】
１…台紙、１１…台紙本体，１２…滑面層、２…飲用日時表示ラベル、２１…ラベル本体、２２…接着剤層、３…日付、４１，４２，４３……食前，食間，食後の区別を示す部分、５１，５２，５３…朝食，昼食，夕〜夜食の区別を示す色、６…錠剤メーカーパッケージ裏面、６０…錠剤、６１…収納体、６２…密封部材、６３…開口部、７…指。
【図１】
0003098509.tif 000003
【図２】
0003098509.tif 000004
【図３】
0003098509.tif 000005
【図４】
0003098509.tif 000006
【図５】
0003098509.tif 000007
【図６】
0003098509.tif 000008